(57)【要約】【課題】角度が調整できるプライスカードを提供する。【解決手段】懸垂ユニット２及びプライスカード３を含む。懸垂ユニット２の主体上端から延ばされて、フック２１及び円軸２２が設けられる。円軸２２の表面は凹凸のように、平滑ではない形状になる。その下端のおもり室には鉛、鉄のブロック２４が収容される。また、プライスカード本体３は二枚の挟み薄片３１及びチャック部３２から構成される。チャック部３２は圧迫結合のように、円軸２２に配置される。両側の開口をプラグ４で塞ぐ。フック２１により、Ｔ型のハンガーの先端にかけられる。しかも、チャック部３２と円軸２２との摩擦力により、プライスカード本体３と懸垂ユニット２は相対に回転し難いので、ある角度を形成する。ユーザが作動すると、角度を変更することができ、利便に、プライスカード本体３の角度が調整できる。【選択図】　　図４
0003099527.tif 000002
【実用新案登録請求の範囲】
【請求項１】
角度を調整可能なプライスカードであって、
懸垂ユニットと、プライスカード本体とを備え、
懸垂ユニットは、上端の片側からフックが延ばされて設けられ、別側にアップエッジと平行であって長さがアップエッジよりやや小さな円軸が設けられ、円軸の表面は凹凸のように平滑ではない形状であり、その下端におもり室があり、
プライスカード本体は、二枚の挟み薄片及びチャック部から構成され、チャック部の断面がほぼＣ字型であり挟み薄片のアップエッジから平行に延ばされ、チャック部の内部空間が円軸の直径よりやや小さくチャック部が円軸にはめられ、両側の開口がプラグで塞がれ、
ハンガーを利用して、懸垂ユニットがＴ型のハンガーの先端に掛けられ、おもり室のより低い重心を経由して、懸垂ユニットの全体は自然に固定の角度に保持され、チャック部と円軸との間における摩擦力により、プライスカード本体と懸垂ユニットとは相対的な回転が規制され、所定の角度を形成し、角度が任意に変更され、プライスカード本体の角度を調整可能であることを特徴とするプライスカード。
【考案の詳細な説明】
【０００１】
【考案の属する技術分野】
本案はスーパーマーケット及び商品の大売店に使用し、ハンガーの高低に応じて、適時に、視覚の観察角度を調整するプライスカードに関するものであり、特に角度を調整可能なプライスカードの構造に関する。
【０００２】
【従来の技術】
従来から、物流の売店に、消費者に、ハンガーに掛ける商品の名称及び値段を知らせるために、図１に示すように、ハンガーフレームＨの先端におけるハンガーＨ１に、いつもプライスカードＡを掛けられている。
【０００３】
【考案が解決しようとする課題】
しかし、より高い又はより低い位置のプライスカードＡの角度は消費者にとって、観察しにくいと言える。よって、図２に示すように、公告Ｎｏ．５２５４６５では、角度が調整できるプライスカードの構造という特許新案が登場した。主に、ダブル軸孔の結構のハンガー部１１、おもり１２を含む。Ｔ型のハンバーＨ１を利用して、インナーホール１１１、又はアウターホール１１２を掛ける位置を選択し、おもり１２を使用することにより、プライスカード全体の重心を変更し、プライスカードの角度を調整する目的を達成する。上述のプライスカードが簡単に、角度を調整する効果を遂げるが、ユーザがハンガーフレーム位置の高さの変化に応じて、同時にＴ型のハンバーＨ１のインナーホール１１１やアウターホール１１２の位置を変換し、又はおもりを加えて、プライスカードのよい観察角度を調整するときに、あまり勤労しないと、同一高度のプライスカードの角度がいつも同一ではなくて、消費者が依然として観察しにくいので、創案者の創案本意を失う。
実務からみると、業界は固定ではない使用状況に応じて、プライスカードの優れた調整性をどういうふうに行うかどうか考えて解決しなければならない。
【０００４】
したがって、本案の主な目的は角度が調整できるプライスカードを提供することにある。
【０００５】
【課題を解決するための手段】
本考案によると、角度を調整可能なプライスカードであって、懸垂ユニットと、プライスカード本体とを備え、懸垂ユニットは、上端の片側からフックが延ばされて設けられ、別側にアップエッジと平行であって長さがアップエッジよりやや小さな円軸が設けられ、円軸の表面は凹凸のように平滑ではない形状であり、その下端におもり室があり、プライスカード本体は、二枚の挟み薄片及びチャック部から構成され、チャック部の断面がほぼＣ字型であり挟み薄片のアップエッジから平行に延ばされ、チャック部の内部空間が円軸の直径よりやや小さくチャック部が円軸にはめられ、両側の開口がプラグで塞がれ、ハンガーを利用して、懸垂ユニットがＴ型のハンガーの先端に掛けられ、おもり室のより低い重心を経由して、懸垂ユニットの全体は自然に固定の角度に保持され、チャック部と円軸との間における摩擦力により、プライスカード本体と懸垂ユニットとは相対的な回転が規制され、所定の角度を形成し、ユーザが作動すると、角度が任意に変更され、プライスカード本体の角度を調整可能であることを特徴とする。
【０００６】
【考案の実施の形態】
本案の目的、特徴および効果などをご了解なさるために、以下、さらに具体的な実施例に図面をあわせて詳しく説明してみよう。
まずは図３、図４を御覧下さい。本実施例の角度を調整可能なプライスカードの構造は主に、懸垂ユニット２及びプライスカード本体３を含む。
【０００７】
懸垂ユニット２は薄片状の主体である。その上端の片側から、円弧状の断面を持つ、弧径のサイズがほぼＴ型のハンガーＨ１のロッド直径に等しいというフック２１が延ばされて設けられる。上端の別側に、アップエッジと平行する、長さがアップエッジにより少し小さいという円軸２２が設けられる。円軸２２の表面は凹凸のように、平滑ではない形状になる。その下端に、おもり室２３がある。おもり室２３は鉛、鉄のブロック２４を収容する空間を提供する。ハンガー２１の位置を利用して、懸垂ユニット２をＴ型のハンガーＨ１の先端に掛ける。しかも、おもり室２３のより低い重心を経由して、懸垂ユニット２の全体は自然に、固定の角度に保持される。
【０００８】
また、プライスカード本体３は二枚の挟み薄片３１及びチャック部３２から構成される。それは可塑性材質で、一体化のように成形される。しかも、二枚の挟み薄片３１には、相対的な応力があるので、プライス紙板の放置ができる。チャック部３２の断面がほぼＣ字型になり、挟み薄片３１のアップエッジから平行に延ばされる。チャック部３２の内部空間が円軸２２の直径より、少し小さいが、チャック部３２が円軸２２にはめられる。のちに、両側の開口をプラグ４で塞ぐので、プライスカード本体３の軸方向の位置移動を防ぐことができ、位置決め効果を維持する。
【０００９】
上述のプライスカード本体３はチャック部３２を経由して、圧迫結合のように、懸垂ユニット２の円軸２２に配置したあとで、両者のはめる間に形成される摩擦圧力により、プライスカード本体３と懸垂ユニット２は相対に回転しにくいので、ある角度を形成する。ユーザが動くと、角度が変更できる。
【００１０】
本実施例の角度を調整可能なプライスカードによると、従業員が利便に、ハンガーの高度に応じて、直ちにプライスカードの視覚観察の角度を図５のように適当に調整することができる。従来から、プライスカードがハンガーの位置から調整されるという欠陥は改善される。
【図面の簡単な説明】
【図１】従来の既存プライスカードを示す概略図である。
【図２】従来の他の既存プライスカードを示す概略図である。
【図３】本考案の一実施例によるプライスカードを示す分解斜視視図である。
【図４】本考案の一実施例によるプライスカードの外観を示す概略図である。
【図５】本考案の一実施例によるプライスカードにおいて、角度が調整される様子を示す概略図である。
【符号の説明】
２　　懸垂ユニット
３　　プライスカード本体
４　　プラグ
１１、２１　　フック
１２　　おもり
２２　　円軸
２３　　おもり室
２４　　ブロック
３１　　挟み薄片
３２　　チャック部
【図１】
0003099527.tif 000003
【図２】
0003099527.tif 000004
【図３】
0003099527.tif 000005
【図４】
0003099527.tif 000006
【図５】
0003099527.tif 000007